(57)【要約】【課題】地図情報システムなどにおいて属性値を入力する際に、他の属性値との関係では現実に存在しないなどの誤った値となる属性値を入力することを防止できるようにする。【解決手段】情報処理対象に関する複数の属性についてのそれぞれの属性値を、情報処理用のコンピュータに入力するための装置である。情報処理対象に関する複数の属性についての属性値どうしの組み合わせの適否を判断する手段と、その組み合わせが適当である場合にのみその属性値の入力を許可する手段とを有する。【選択図】図１
2007226483.tif 000002
【特許請求の範囲】
【請求項１】
情報処理対象に関する複数の属性についてのそれぞれの属性値を、情報処理用のコンピュータに入力するための装置であって、前記情報処理対象に関する複数の属性についての属性値どうしの組み合わせの適否を判断する手段と、その組み合わせが適当である場合にのみその属性値の入力を許可する手段とを有することを特徴とする属性値の入力装置。
【発明の詳細な説明】
【技術分野】
【０００１】
本発明は、地図情報システムなどにおける属性値の入力装置に関する。
【背景技術】
【０００２】
上水道や下水道を構成する管路網の管理のために、コンピュータを利用した地図情報システムが用いられることが多い（特許文献１）。その場合には、管理対象となる管路を構成する管の属性値をシステムに入力することが必要になる。
【０００３】
そのときの、従来における入力の手法の一例を、図２を参照して説明する。管路網を構成する水道管の属性としては、「管種」「継手形式」「口径」などが挙げられる。図２に示す例では、属性値は、コンピュータにおけるキーボードなどの入力装置を用いて、文字列で直接入力される。すなわち、図示の例では、属性「管種」の属性値として「ダクタイル鋳鉄管」が入力され、属性「継手形式」の属性値として「Ｔ形」が入力され、属性「口径」の属性値として「１００ｍｍ」が入力されている。
【０００４】
しかし、この場合は入力値のチェックが困難で、オペレータの入力ミスが多くなる可能性が高い。また、属性値として、さまざまな表現方法が可能な値もある。たとえば、図示のように、属性「管種」の属性値は、「ダクタイル鋳鉄管」と同じものを、「ダクタイル鉄管」「ＤＩＰ」「ＤＣＩＰ」などと表現することも可能である。また属性「継手形式」の属性値は、「Ｔ形」と同じものを、「Ｔ」「Ｔ型」などと表現することも可能である。さらに属性「口径」の属性値は、「１００ｍｍ」と同じものを、数値の全角入力と半角入力とが相違した「100ｍｍ」や、「φ１００」などと表現することも可能である。このため、属性値を、一般に用いられている検索キーに利用するためには、入力規制を厳密に定義することが必要になってしまう。
【０００５】
従来における入力方法の手法の他の例を、図３を参照して説明する。この図３の例は、属性の項目ごとに、独立した属性値を、コードで入力するものである。図３（ｂ）はそのための属性コード表を示す。この属性コード表では、属性「管種」については、「コード番号１」で属性値「ダクタイル鋳鉄管」が規定され、「コード番号２」で属性値「塩化ビニル管」が規定されている。属性「継手形式」については、「コード番号１」で属性値「Ｔ形」が規定され、「コード番号２」で属性値「Ｋ形」が規定されている。さらに属性「口径」については、「コード番号１」で属性値「５０ｍｍ」が規定され、「コード番号２」で属性値「７５ｍｍ」が規定されている。「コード番号３」以降も同様である。
【０００６】
この場合には、たとえば、図３（ａ）に示すように、属性「管種」について「コード番号１」で属性値「ダクタイル鋳鉄管」を入力し、かつ属性「継手形式」について「コード番号１」で属性値「Ｔ形」を入力したときに、属性「口径」については、５０ｍｍ、７５ｍｍ、……との属性値の中からいずれかの値を選択して入力可能である。
【０００７】
しかし、この場合は、属性項目間の関連性がないため、現実には存在しない属性値を入力してしまうおそれがある。たとえば、図示の例において、Ｔ形ダクタイル鋳鉄管の規格には口径５０ｍｍのものが規定されておらず、したがってそのような管は製造されていない場合であっても、すなわちそのような管が現実には存在しない場合であっても、その５０ｍｍという属性値を入力可能となってしまい、問題である。
【特許文献１】特開平８−５５１２５号公報
【発明の開示】
【発明が解決しようとする課題】
【０００８】
そこで、本発明は、このような問題を解決して、地図情報システムなどにおいて属性値を入力する際に、他の属性値との関係では現実に存在しないなどの誤った値となる属性値を入力することを防止できるようにすることを課題とする。
【課題を解決するための手段】
【０００９】
上記の課題を解決するため本発明は、情報処理対象に関する複数の属性についてのそれぞれの属性値を、情報処理用のコンピュータに入力するための装置が、前記情報処理対象に関する複数の属性についての属性値どうしの組み合わせの適否を判断する手段と、その組み合わせが適当である場合にのみその属性値の入力を許可する手段とを有するようにしたものである。
【発明の効果】
【００１０】
このような構成であると、複数の属性を用いた属性値どうしの組み合わせパターンに制約がある場合に、その組み合わせが適当である場合にのみ入力を許可し、組み合わせが適当でない場合は入力を許可しないものであるため、属性値の入力ミスを低減することができるとともに、入力作業の高速化および効率化を図ることができる。
【発明を実施するための最良の形態】
【００１１】
図１は、本発明の実施の形態の属性値の入力装置の動作を示す。この入力装置は、図３の場合と同様に、独立した属性値をコードで入力するものである。なお、入力装置のハードウエアは、公知のものと同様であるので、その図示は省略する。
【００１２】
図１（ｃ）は、コード入力のための属性コード表を示す。図示の属性コード表では、属性「管種」については、「コード番号１」で属性値「ダクタイル鋳鉄管」が規定され、「コード番号２」で属性値「塩化ビニル管」が規定されている。属性「継手形式」については、「コード番号１」で属性値「ＮＳ形」が規定され、「コード番号２」で属性値「Ｋ形」が規定されている。さらに属性「口径」については、「コード番号１」で属性値「５０ｍｍ」が規定され、「コード番号２」で属性値「７５ｍｍ」が規定されている。「コード番号３」以降も同様である。
【００１３】
図１（ｄ）は、属性値の組み合わせ表を示す。この表の各列には継手形式が記載され、各行には口径が記載されている。そして、各継手形式と口径との組み合わせについて、規格に制定されており実際に製品化されていることによってその組み合わせが現実に存在するものに「○」を付し、規格に制定されておらず製品化されていないことでその組み合わせが現実には存在しないものに「×」を付している。たとえば、「ＮＳ形」の継手形式は、口径７５ｍｍ、１００ｍｍ、１５０ｍｍ、……のものは現実に存在するので「○」が付されているが、口径５０ｍｍ、１０００ｍｍ、……のものは現実には存在しないので「×」が付されている。
【００１４】
図１（ａ）（ｂ）は、入力時の状況を示す。このうち、図１（ａ）は、属性「管種」については属性値「ダクタイル鋳鉄管」（コード番号１）を入力し、かつ属性「口径」については属性値「１０００ｍｍ」を入力した場合について例示する。この場合は、図１（ｄ）の組み合わせ表の中から、口径「１０００ｍｍ」の行が選択され、その中から、「×」を付された継手形式を除いた、「○」を付された継手形式のみを選択して、図１（ａ）に示すように入力装置の画面に表示し、属性値としてコード入力可能とする。具体的には、属性値として、「Ｋ形」「Ｔ形」「Ｕ形」「ＵＦ形」が属性値として入力可能であり、「ＮＳ形」「ＫＦ形」「ＳII」などは入力不能である。すなわち、「×」を付された継手形式は、属性値として入力することが禁止される。
【００１５】
このようにすることで、複数項目の属性を用いた組み合わせパターンに制約がある場合に、図１（ｄ）に示した属性値の組み合わせ表で規定されるところの、実際に存在する組み合わせパターンのみに絞り込んで選択的に入力することができる。このため、属性値の入力ミスを低減することができるとともに、入力作業の高速化および効率化を図ることができる。入力値のチェックに要する労力を大幅に軽減することができるため、チェックミスの発生を防止することもできる。
【００１６】
図１（ｂ）は、属性「管種」については属性値「ダクタイル鋳鉄管」（コード番号１）を入力し、かつ属性「口径」については属性値「１５０ｍｍ」を入力した場合について例示する。すなわち、図１（ａ）に比べて、属性「口径」についての属性値が「１０００ｍｍ」から「１５０ｍｍ」に変化した場合について例示する。この場合は、図１（ｄ）の組み合わせ表の中から、口径「１５０ｍｍ」の行が選択され、その中から、「×」を付された継手形式を除いた、「○」を付された継手形式のみを選択して、図１（ｂ）に示すように属性値としてコード入力可能とする。具体的には、図１（ａ）の場合と相違して、属性値として、「ＮＳ形」「Ｋ形」「Ｔ形」「ＳII」が属性値として入力可能であり、「×」を付された継手形式である「Ｕ形」「ＫＦ形」「ＵＦ形」などは入力不能である。
【００１７】
なお、上記においては、図１（ｄ）において属性「継手形式」と属性「口径」との２つの属性についての二次元的な組み合わせ表について説明したが、属性の数は任意とすることができる。その場合は、多次元的な組み合わせ表が作成されることになる。また、上記に代えて、たとえば図１（ｃ）の属性コード表に図１（ｄ）の属性組み合わせ表を含ませて作成することも可能である。
【００１８】
また、上記においては地図情報システムにおける水道管を例として説明したが、本発明はこれに限定されるものではなく、広く複数の属性どうしの組み合わせに制限のある場合について好ましく適用することができる。
【図面の簡単な説明】
【００１９】
【図１】本発明の実施の形態の属性値の入力装置の動作を示す図である。
【図２】従来の属性値の入力装置の動作を示す図である。
【図３】従来の他の属性値の入力装置の動作を示す図である。
【図１】
2007226483.tif 000003
【図２】
2007226483.tif 000004
【図３】
2007226483.tif 000005